(57)【要約】      （修正有）【課題】簡易に設置でき、寝室のベッドや布団などの周囲やリビングのソファーなどの周囲や上方の落下物による傷害事故の防止に対応できる防災組立式フレームを提供する。【解決手段】伸長、収縮できるスライド式の金属土台７を設け、金属土台に軽量の金属フレーム３、５を連結させ組立てるとともに、土台とフレームの連結部分、交差部分の所定箇所をボルト止めすることで設置や移動を容易にする。地震による上方からの落下物、周囲からの転倒物による一定の衝撃、重量に耐えることができる。【選択図】図１
0003207716.tif 000002
【実用新案登録請求の範囲】
【請求項１】
地震発生時に天井や家具や家電などの落下物による傷害事故に対応するため、寝室のベッドや布団などの周囲や上方を防護するために、またリビングのソファーなどの周囲や上方を防護するために簡易に組立や解体ができる特徴をもつ防災組立式フレーム。
【考案の詳細な説明】
【技術分野】
【０００１】  本考案は、地震発生時に室内の天井や家具や家電などが就寝中の人や団欒中の人に落下することによる傷害事故を防止するため防災組立式フレームを寝室やリビングに設置することにより、落下物による傷害事故を防止するための防災組立式フレームに関するものである。
【背景技術】
【０００２】  従来、地震発生時に室内で就寝中や団欒中の人には天井や家具や家電などの落下物から防護するものがないため傷害事故が起こり得る。そこで、寝室のベッドや布団などの周囲と上方、又はリビングのソファーなどの周囲と上方を防護するための防災組立式フレームが提案されている。
【先行技術文献】
【０００３】
【特許文献】
【特許文献】特開２００９−１１２７３９号公報  特開２００９−１３１５８４号公報
【考案の開示】
【考案が解決しようとする課題】
【０００４】  従来の防災ベッド型シェルターや防災フレームなどでは、一体式もしくは結合式のものがあるが重量が重いため床板や畳などの損傷が生じたり、解体することができないため就寝時や団欒時以外の利用に支障を来たすという問題が生じる。【０００５】  本考案は係る事情に鑑みてなされたもので、地震発生時の落下物から防護するために軽量な金属フレームを簡易に組立、又は解体ができる防災組立式フレームを提供することを目的としている。
【課題を解決するための手段】
【０００６】  本考案に係る防災組立式フレームは、地震発生時に寝室のベッドや布団などの周囲と上方、又はリビングのソファーなどの周囲と上方を落下物から防護するために軽量な金属フレーム（アルミ合金製丸管パイプ）を落下物の一定の衝撃や重量に耐えることができる組立方式を採用している。又、防護用ネット（ビニール製ネットもしくは金属製ネット）で防災組立式フレームを覆うことで小さな落下物でも防護することができる機能を有している。【０００７】  本考案に係る防災組立式フレームは、軽量な金属フレーム（アルミ合金製丸管パイプ）を長方形の組立式フレーム、又は半円形の組立式フレームの二種類を有しており、軽量な金属フレーム（アルミ合金製丸管パイプ）を組立ながら交差箇所をボルト止めにより、確りと連結することを特徴としている。【０００８】  本考案に係る防災組立式フレームは、幅広の金属土台（アルミ合金製土台）が伸長と収縮ができるスライド式で伸長した時にボルト止めで固定する。又、金属土台の裏面に粘着シートを貼ることで本体の移動や転倒などを防止することを特徴としている。【０００９】  本考案に係る防災組立式フレームは、大小の落下物のための防護用ネット（ビニール製ネットもしくは金属製ネット）を軽量な金属フレームを覆うように被せるが幅広の土台の所定箇所に設置されたフックに引っ掛けることで防護用ネットがずれたり、外れたりしないようにしていることを特徴としている。
【考案の効果】
【００１０】  本考案に係る防災組立式フレームは、寝室のベッドや布団などの周囲や上方、又はリビングのソファーなどの周囲や上方などに簡易に設置することができて従来の重量の重い一体式の耐震ベッドのように床板や畳などの損傷や従来の結合式の防災フレームのように移動や転倒を防止できる効果がある。【００１１】  又、本考案に係る防災組立式フレームは、従来の重量の重い耐震ベッドや防災フレームのように本体を移動することが困難なことや、寝室やリビングを就寝時や団欒時以外の利用に支障をもたらこともありますが、防災組立式フレームは、簡易に組立や解体することができるため本体を移動することができるため寝室やリビングの模様替えにも容易に対応することができる。
又、催事などで寝室やリビングを就寝時や団欒時以外の利用が生じた場合にも容易に対応することができる。【００１２】  又、本考案に係る防災組立式フレームは、従来の重量の重い耐震ベッドや防災フレームのように限られた範囲だけを天井や家具や家電などの落下物から防護することしかできないが防災組立式フレームは、組立式なのでフレームを増設することにより広範囲の落下物を防護することが可能である。
【図面の簡単な説明】
【００１３】
【図１】  本考案の防災組立式フレーム（長方形）Ｉ−Ｉ断面図と平面図
【図２】  本考案の防災組立式フレーム（半円形）の側面図と平面図
【図３】  防災組立式フレームの図１の連結箇所（ボルト止め）の断面図
【考案を実施するための形態】
【００１４】  図１〜図３を参照しつつ、本考案の具体化した実施の形態につき説明し、本考案の理解に供する。
【実施例】
【００１５】  図１〜図２にある防災組立式フレーム（長方形）１は、長方形の丸管パイプ３を幅広の土台７に挿入し、ボルト止めすることにより簡易に取り付けることができる。幅広の土台７に取り付けられた長方形の丸管パイプ３に補強用の長方形の丸管パイプ５を所定の連結箇所に交差し、ボルト止めすることにより簡易に取り付けることができる。【００１６】  図１〜図２にある防災組立式フレーム（半円形）２は、半円形の丸管パイプ４を幅広の座台７に挿入し、ボルト止めすることにより簡易に取り付けることができる。幅広の土台７に取り付けられた半円形の丸管パイプ４に補強用の長方形の丸管パイプ６を所定の連結箇所に交差し、ボルト止めすることにより簡易に取り付けることができる。【００１７】  図１〜図２にある幅広の土台７に取り付けられたフック８に防護用ネットを引っ掛けることで、防護用ネットがずれたり、外れたりすることなく固定することができる。
【符号の説明】
【００１８】１は防災組立式フレーム（長方形）、２は防災組立式フレーム（半円形）、３は長方形の丸管パイプ、４は半円形の丸管パイプ、５は補強用の長方形の丸管パイプ、６は補強用の長方形の丸管パイプ、７は幅広の土台、８はフックである。
【図１】
0003207716.tif 000003
【図２】
0003207716.tif 000004
【図３】
0003207716.tif 000005
【手続補正書】
【提出日】平成28年7月20日(2016.7.20)
【手続補正１】
【補正対象書類名】実用新案登録請求の範囲
【補正対象項目名】全文
【補正方法】変更
【補正の内容】
【実用新案登録請求の範囲】
【請求項１】
伸長、収縮できるスライド式の金属土台を設け、当該金属土台に軽量の金属フレームを連結させ組立てるとともに、土台とフレームの連結部分、交差部分の所定箇所をボルト止めすることで地震による上方からの落下物、周囲からの転倒物による一定の衝撃、重量に耐えることができることを特徴とする防災組立式フレーム